(57)【特許請求の範囲】
【請求項１】
下枠を有した開口枠と、
前記下枠のレールに対してスライド開閉可能に支持され、かつ下端コーナー部分に樹脂製のコーナー部材が設けられた障子と
を備えた建具において、
前記レールの見込み方向の最大寸法よりも大きい幅寸法を有して下方に開口する溝部を備え、かつ前記コーナー部材に載置若しくは支持された遮炎材を備えたことを特徴とする建具。
【請求項２】
前記障子は、左右一対の縦框と上下一対の横框を四方組み合わせて形成され、
前記コーナー部材は、前記縦框の中空部に挿入される挿入部と、下方に向けて突出し、かつ前記下枠に設けられた気密材に摺接可能なヒレ部とを備え、
前記遮炎材は、前記挿入部に載置されることを特徴とする請求項１に記載の建具。
【請求項３】
前記遮炎材は、前記溝部の内面に熱膨張性部材が設けられていることを特徴とする請求項１又は請求項２に記載の建具。
【請求項４】
前記遮炎材は、互いの内面が対向するよう前記下枠の見込み方向に沿って一対となる側壁部と、これら側壁部の上端同士を連結する上壁部とを有するとともに、該側壁部及び該上壁部により前記溝部が形成されており、
前記側壁部及び前記上壁部の内面の少なくとも１つに熱膨張性部材が設けられていることを特徴とする請求項１又は請求項２に記載の建具。
【発明の詳細な説明】
【技術分野】
【０００１】
本発明は、例えば引違い窓等の建具に関するものである。
【背景技術】
【０００２】
従来、ガラス板や樹脂板等の面材を保持した障子の下框に戸車を設け、この戸車を開口枠の下枠に形成されたレールに転動させることで、障子を開口枠に対して開閉移動可能に構成した建具が広く用いられている。このような建具においては、障子の下端コーナー部分に樹脂製のコーナー部材が設けられたものが知られている。
【０００３】
そして、上記建具においては、コーナー部材の上方に例えば発泡黒鉛等の熱膨張性部材が設けられており、火災等によりコーナー部材が溶融した場合にも熱膨張性部材が膨張して障子と下枠との隙間を塞ぐようにしている（例えば、特許文献１参照）。
【先行技術文献】
【特許文献】
【０００４】
【特許文献１】特開２０１３−１１３０６５号公報
【発明の概要】
【発明が解決しようとする課題】
【０００５】
しかしながら、上記建具では、火災等によりコーナー部材が溶融して形成された障子と下枠との隙間が大きい場合には、熱膨張性部材の膨張だけでは十分に塞ぐことができず、結果的に良好な防火性能を得ることが困難となる場合があった。
【０００６】
本発明は、上記実情に鑑みて、防火性を良好なものとすることができる建具を提供することを目的とする。
【課題を解決するための手段】
【０００７】
上記目的を達成するために、本発明に係る建具は、下枠を有した開口枠と、前記下枠のレールに対してスライド開閉可能に支持され、かつ下端コーナー部分に樹脂製のコーナー部材が設けられた障子とを備えた建具において、前記レールの見込み方向の最大寸法よりも大きい幅寸法を有して下方に開口する溝部を備え、かつ前記コーナー部材に載置若しくは支持された遮炎材を備えたことを特徴とする。
【０００８】
この発明によれば、下枠のレールの見込み方向の最大寸法よりも大きい幅寸法を有する溝部を備える遮炎材が、樹脂製のコーナー部材に載置若しくは支持されているので、例えば火災等のように極めて高い温度で加熱されてコーナー部材が溶融すると、遮炎材が溝部にレールを相対的に進入させるように落下して下枠と障子との隙間を塞ぐことができる。このようにして下枠と障子との隙間を塞ぐことで、室内と室外との気密性を十分に確保し、火炎等が室内及び室外の一方から他方へと伝わることをある程度抑制して防火性能を確保することができる。
【０００９】
また本発明は、上記建具において、前記障子は、左右一対の縦框と上下一対の横框を四方組み合わせて形成され、前記コーナー部材は、前記縦框の中空部に挿入される挿入部と、下方に向けて突出し、かつ前記下枠に設けられた気密材に摺接可能なヒレ部とを備え、
前記遮炎材は、前記挿入部に載置されることを特徴とする。
【００１０】
また本発明は、上記建具において、前記遮炎材は、前記溝部の内面に熱膨張性部材が設けられていることを特徴とする。
【００１１】
この発明によれば、例えば火災等のように極めて高い温度で加熱されてコーナー部材が溶融すると、遮炎材は、熱膨張性部材が膨張しつつ溝部にレールを相対的に進入させるように落下して下枠と障子との隙間を塞ぐことができる。このようにして下枠と障子との隙間を塞ぐことで、室内と室外との気密性を十分に確保し、火炎等が室内及び室外の一方から他方へと伝わることをある程度抑制して防火性能を確保することができる。
【００１２】
また本発明は、上記建具において、前記遮炎材は、互いの内面が対向するよう前記下枠の見込み方向に沿って一対となる側壁部と、これら側壁部の上端同士を連結する上壁部とを有するとともに、該側壁部及び該上壁部により前記溝部が形成されており、前記側壁部及び前記上壁部の内面の少なくとも１つに熱膨張性部材が設けられていることを特徴とする。
【００１３】
この発明によれば、例えば火災等のように極めて高い温度で加熱されてコーナー部材が溶融すると、遮炎材は、側壁部及び上壁部の内面の少なくとも１つに設けられた熱膨張性部材が膨張しつつ溝部にレールを相対的に進入させるように落下して下枠と障子との隙間を塞ぐことができる。このようにして下枠と障子との隙間を塞ぐことで、室内と室外との気密性を十分に確保し、火炎等が室内及び室外の一方から他方へと伝わることをある程度抑制して防火性能を確保することができる。
【発明の効果】
【００１４】
本発明によれば、室内と室外との気密性を十分に確保し、火炎等が室内及び室外の一方から他方へと伝わることをある程度抑制して防火性能を確保することができるので、防火性を良好なものとすることができるという効果を奏する。
【図面の簡単な説明】
【００１５】
【図１】図１は、本発明の実施の形態である建具を室内側から見た場合を示す正面図である。
【図２】図２は、図１に示した建具の横断面図である。
【図３】図３は、図１に示した建具の縦断面図である。
【図４】図４は、図１〜図３に示した内障子と下枠との要部を拡大して示す斜視図である。
【図５】図５は、図１〜図３に示した内障子と下枠との要部を拡大して示す縦断面図である。
【図６】図６は、図４及び図５に示した摺動部材を示す斜視図である。
【図７】図７は、図４及び図５に示した摺動部材を示す分解斜視図である。
【図８】図８は、図１〜図３に示した内障子と下枠との要部を拡大して示す縦断面図である。
【発明を実施するための形態】
【００１６】
以下に添付図面を参照して、本発明に係る建具の好適な実施の形態について詳細に説明する。
【００１７】
図１〜図３は、それぞれ本発明の実施の形態である建具を示すものであり、図１は室内側から見た場合を示す正面図、図２は横断面図、図３は縦断面図である。ここで例示する建具は、例えば引違い窓であり、開口枠１０と左右２枚の障子２０，３０とを備えている。
【００１８】
開口枠１０は、上枠１１、下枠１２及び左右一対の縦枠１３，１４を四周枠組みすることによって構成されており、矩形開口１５を形成するものである。上枠１１は、例えばアルミニウム等の金属製の押出形材である室外側上枠部１１１と、例えばアルミニウム等の金属製の押出形材である室内側上枠部１１２とが断熱部材を介して連結され、更に樹脂製の押出形材である樹脂上枠部１１３が室内側上枠部１１２に係合して構成されている。このような上枠１１には、下方に向けて突出する複数（図示の例では２つ）の上レール１１５，１１６が該上枠１１の長手方向の全長に亘って形成されており、室外側から外障子用上レール１１５及び内障子用上レール１１６が形成されている。
【００１９】
下枠１２は、例えばアルミニウム等の金属製の押出形材である室外側下枠部１２１と、例えばアルミニウム等の金属製の押出形材である室内側下枠部１２２とが断熱部材を介して連結されて構成されている。このような下枠１２には、上方に向けて突出する複数（図示の例では２つ）の下レール本体１２５ａ，１２６ａが該下枠１２の長手方向の全長に亘って形成されており、室外側から外障子用下レール本体１２５ａ及び内障子用下レール本体１２６ａが形成されている。
【００２０】
このような下枠１２は、着脱可能に装着されるアタッチメント４０を有している。アタッチメント４０は、例えばアルミニウム等の不燃性の金属材料や例えばポリカーボネイト等の難燃性の樹脂材料等から構成されるものであり、本実施の形態においてはアルミニウムから構成されるものを用いている。このようなアタッチメント４０は、装着されることで矩形開口１５を臨む面を略平坦にするためのものであり、レールアタッチメント４１、レール間アタッチメント４２、室外側アタッチメント４３及び室内側アタッチメント４４を備えている。
【００２１】
レールアタッチメント４１は、複数（図示の例では２つ）設けられている。一方のレールアタッチメント４１は、左右方向が長手方向となる長尺状部材であり、長手方向に沿って延在する収納溝部４１１に外障子用下レール本体１２５ａの全長を収納させることで該外障子用下レール本体１２５ａを覆うよう装着され、これにより外障子用下レール１２５を構成している。
【００２２】
また、他方のレールアタッチメント４１は、左右方向が長手方向となる長尺状部材であり、長手方向に沿って延在する収納溝部４１１に内障子用下レール本体１２６ａの全長を収納させることで該内障子用下レール本体１２６ａを覆うよう装着され、これにより内障子用下レール１２６を構成している。
【００２３】
このようなレールアタッチメント４１は、上記収納溝部４１１の他に、案内部４１２（図５参照）及び室外側保持部４１３（図５参照）を備えている。案内部４１２は、収納溝部４１１の上部に形成されている。この案内部４１２の上面は、下枠１２の室内側端部の上面と略同一の高さレベルとなっている。また、この案内部４１２は、レールアタッチメント４１の全長に亘って上方に突出して形成されている。
【００２４】
室外側保持部４１３は、収納溝部４１１の室外側部分、すなわちレールアタッチメント４１の室外側を臨む部分に形成されている。この室外側保持部４１３は、レールアタッチメント４１の全長に亘って形成されており、上下一対の室外側保持片４１３ａ，４１３ｂを有している。このような室外側保持部４１３は、いわゆるタイト材と称される気密材Ｋ（図５参照）を保持するものである。気密材Ｋは、左右方向が長手方向となる長尺状部材であり、室外側保持部４１３の全長に亘って該室外側保持部４１３に保持されている。
【００２５】
レール間アタッチメント４２は、左右方向が長手方向となる長尺状部材であり、外障子用下レール１２５と内障子用下レール１２６との間において下枠１２の全長に亘って着脱可能に装着されている。このレール間アタッチメント４２の上面は、レールアタッチメント４１の案内部４１２の上面と略同一の高さレベルとなっている。
【００２６】
室外側アタッチメント４３は、左右方向が長手方向となる長尺状部材である。この室外側アタッチメント４３は、一部が屈曲されて構成されており、外障子用下レール１２５の室外側において下枠１２の全長に亘って着脱可能に装着されている。この室外側アタッチメント４３の上面は、レール間アタッチメント４２の上面や上記案内部４１２の上面と略同一の高さレベルとなっている。
【００２７】
室内側アタッチメント４４は、左右方向が長手方向となる長尺状部材である。この室内側アタッチメント４４は、一部が屈曲されて構成されており、内障子用下レール１２６の室内側において下枠１２の全長に亘って着脱可能に装着されている。
【００２８】
左右一対の縦枠１３，１４は、例えばアルミニウム等の金属製の押出形材である室外側縦枠部１３１，１４１と、例えば樹脂製の押出形材である室内側縦枠部１３２，１４２とが互いに係合して構成されている。
【００２９】
このような開口枠１０は、上枠１１、下枠１２及び左右一対の縦枠１３，１４のそれぞれを建物の壁等の躯体に形成された躯体開口に対してその開口縁部に沿うよう取り付けられている。
【００３０】
室外側の障子（以下、外障子ともいう）２０は、上框２１、下框２２及び左右一対の縦框２３，２４を四周框組みすることによって構成された框体の内部に面材であるガラス板２５が保持されたものであり、開口枠１０の内部に装着可能な大きさに構成されている。
【００３１】
上框２１は、例えばアルミニウム等の金属製の押出形材である室外側上框部２１１と、樹脂製の押出形材である室内側上框部２１２とが互いに係合して構成されている。下框２２は、例えばアルミニウム等の金属製の押出形材である室外側下框部２２１と、樹脂製の押出形材である室内側下框部２２２とが互いに係合して構成されている。これら上框２１及び下框２２は、上下一対の横框を構成している。
【００３２】
左右一対の縦框２３，２４のうち左方の縦框（以下、左縦框ともいう）２３は、例えばアルミニウム等の金属製の押出形材である室外側左縦框部２３１と、樹脂製の押出形材である室内側左縦框部２３２とが互いに係合して構成されている。一方、右方の縦框（以下、右縦框ともいう）２４は、例えばアルミニウム等の金属製の押出形材により構成されている。
【００３３】
このような外障子２０においては、下框２２の内部に、該下框２２の見込み方向に沿って延在する図示せぬ軸部の中心軸回りに回転可能な樹脂製の戸車２６が設けられており、外障子用下レール１２５に載置されている。また左縦框２３には、その室内側見付け面にハンドル２７が設けられている。
【００３４】
かかる外障子２０は、上框２１に形成された上溝部２８に外障子用上レール１１５が相対的に進入するとともに、戸車２６が外障子用下レール１２５を転動することで左右方向に沿って開閉移動可能である。また、この外障子２０の下框２２の室外側見付け面における下端の裏面部分には、気密材Ｋの先端部分が摺接している。
【００３５】
室内側の障子（以下、内障子ともいう）３０は、上框３１、下框３２及び左右一対の縦框３３，３４を四周框組みすることによって構成された框体の内部に面材であるガラス板３５が保持されたものであり、開口枠１０の内部に装着可能な大きさに構成されている。
【００３６】
上框３１は、例えばアルミニウム等の金属製の押出形材である室外側上框部３１１と、樹脂製の押出形材である室内側上框部３１２とが互いに係合して構成されている。下框３２は、例えばアルミニウム等の金属製の押出形材である室外側下框部３２１と、樹脂製の押出形材である室内側下框部３２２とが互いに係合して構成されている。これら上框３１及び下框３２は、上下一対の横框を構成している。
【００３７】
左右一対の縦框３３，３４のうち右方の縦框（以下、右縦框ともいう）３３は、例えばアルミニウム等の金属製の押出形材である室外側右縦框部３３１と、樹脂製の押出形材である室内側右縦框部３３２とが互いに係合して構成されている。また、左方の縦框（以下、左縦框ともいう）３４は、例えばアルミニウム等の金属製の押出形材である室外側左縦框部３４１と、樹脂製の押出形材である室内側左縦框部３４２とが互いに係合して構成されている。
【００３８】
このような内障子３０においては、下框３２の内部に、該下框３２の見込み方向に沿って延在する図示せぬ軸部の中心軸回りに回転可能な樹脂製の戸車３６が設けられており、内障子用下レール１２６に載置されている。また右縦框３３には、その室内側見付け面にハンドル３７が設けられている。
【００３９】
かかる内障子３０は、上框３１に形成された上溝部３８に内障子用上レール１１６が相対的に進入するとともに、戸車３６が内障子用下レール１２６を転動することで左右方向に沿って開閉移動可能である。また、この内障子３０の下框３２の室外側見付け面における下端の裏面部分には、気密材Ｋの先端部分が摺接している。
【００４０】
そして、このように左右方向に沿って開閉移動可能な内障子３０と上記外障子２０とにおいては、外障子２０の左縦框２３が左側の縦枠（以下、左縦枠ともいう）１３に当接し、内障子３０の右縦框３３が右側の縦枠（以下、右縦枠ともいう）１４に当接した場合に、外障子２０の右縦框２４に形成された係止片２４３と内障子３０の左縦框３４に形成された係止片３４３とが互いに係合して矩形開口１５を閉塞している。このような外障子２０及び内障子３０では、左縦框２３と右縦框３３とが戸先框となり、右縦框２４と左縦框３４とが召合せ框となる。
【００４１】
図４及び図５は、それぞれ図１〜図３に示した内障子３０と下枠１２との要部を拡大して示すもので、図４は斜視図であり、図５は縦断面図である。
【００４２】
これら図４及び図５に示すように、内障子３０の下端部における右端部分（コーナー部分）には、一部が露出した状態で摺動部材（コーナー部材）５０が装着されている。この摺動部材５０は、例えばプラスチック等の樹脂材料により構成された樹脂製のものである。
【００４３】
この摺動部材５０は、内障子３０の下端部における右端部分だけに限られず、内障子３０の下端部における左端部分や、外障子２０の下端部における左右両端部分にも装着されているが、いずれも同様の構成を有するため、以下においては、内障子３０の下端部における右端部分に装着されるものについて説明し、その他の部分に装着される摺動部材５０の説明は割愛する。
【００４４】
水平延在部５１は、略平板状の部位であり、その室内側の左端部分には上方に向けて突出する係止突起５１１が形成されている。この水平延在部５１は、係止突起５１１が右縦框３３を構成する室内側右縦框部３３２に形成された図示せぬ係止孔に下方より挿入されて係止されることにより、右縦框３３の下端の小口を閉塞するものである。
【００４５】
ヒレ部５２，５３は、水平延在部５１の下面より下方に向けて突出するよう形成された室内外方向（内障子３０の見込み方向）に一対となるものである。より詳細に説明すると、一方のヒレ部５２は、水平延在部５１の下面の室外側より下方に向けて突出しており、左右方向が長手方向となる長尺状板状部位である。他方のヒレ部５３は、室外側の面が上記一方のヒレ部５２の室内側の面に対向した状態で、水平延在部５１の下面の室内側より下方に向けて突出している。この他方のヒレ部５３も左右方向が長手方向となる長尺状板状部位である。
【００４６】
これら２つのヒレ部５２，５３の室内外方向に沿った離間距離は、下框３２の室外側下框部３２１における室外側見付け面と室内側見付け面との室内外方向に沿った離間距離よりも僅かに小さいものである。これにより、一方のヒレ部５２の室内側を臨む面には、内障子用下レール１２６を構成するレールアタッチメント４１により保持された気密材Ｋの先端部に摺接している。
【００４７】
規制片部５４，５５は、水平延在部５１の上面より上方に向けて突出するよう形成された左右方向に一対となるものである。より詳細に説明すると、一方の規制片部５４は、水平延在部５１の上面の右方側より上方に向けて突出しており、室内外方向に沿って延在する平板状部位である。他方の規制片部５５は、右面が上記一方の規制片部５４の左面に対向した状態で、水平延在部５１の上面の左方側より上方に向けて突出している。この他方の規制片部５５も室内外方向に沿って延在する平板状部位である。
【００４８】
これら一対の規制片部５４，５５間においては、該規制片部５４，５５同士を連結するよう水平延在部５１の上面より上方に突出する支持片部５６が形成されている。支持片部５６は、左右方向が長手方向となる長尺状板状部位であり、その上面より上方に向けて突出する２つの支持突起５６ａが形成されている。このような支持突起５６ａは、支持片部５６や規制片部５４，５５とともに室内側右縦框部３３２に設けられた中空部に挿入される挿入部を構成している。
【００４９】
このような構成を有する摺動部材５０は、遮炎材６０を載置している。遮炎材６０は、不燃性の金属材料や難燃性の樹脂材料等から構成されるものである。ここで不燃性の金属材料としては、例えばステンレス材やアルミニウム、鉄等が挙げられる。また、難燃性の樹脂材料としては、例えばポリブチレンテレフタレート（ＰＢＴ）、ポリビニリデンフロライド（ＰＶＤＦ）、架橋ポリエチレン、ポリエーテルエーテルケトン（ＰＥＥＫ）、ポリフェニレンサルファイド（ＰＰＳ）、ナイロン（ＰＡ）、ポリフェニレンオキサイド（ＰＰＯ）、ポリサルフォン（ＰＳＦ）、芳香族ポリエステル、ポリエーテルサルフォン（ＰＥＳ）、ポリ塩化ビニル（ＰＶＣ）、ポリエーテルイミド（ＰＥＩ）、ポリ塩化ビニリデン（ＰＶＤＣ）、ポリテトラフルオロエチレン（ＰＴＦＥ）、ポリカーボネイト等が挙げられ、なかでもポリエーテルエーテルケトン（ＰＥＥＫ）、ポリエーテルイミド（ＰＥＩ）、ポリテトラフルオロエチレン（ＰＴＦＥ）、ポリカーボネイトを用いることが好ましい。
【００５０】
この遮炎材６０は、平板状の基部６１と、この基部６１の室外側端部より下方に向けて延在する第１下延部６２と、上記基部６１の室内側端部より下方に向けて延在する第２下延部６３とを備えて構成されている。
【００５１】
つまり、この遮炎材６０では、第１下延部６２の室内側面と、第２基部６１の室外側面とが互いに対向しており、これら第１下延部６２と第２下延部６３との間に溝部６４が形成されている。
【００５２】
すなわち、遮炎材６０においては、第１下延部６２及び第２下延部６３が、互いの内面が対向するよう下枠１２の見込み方向に沿って一対となる側壁部を構成し、かつ基部６１が、側壁部の上端同士を連結する上壁部を構成している。溝部６４は、幅寸法、すなわち第１下延部６２と第２下延部６３との離間距離の寸法が、内障子用下レール１２６の見込み方向の最大寸法よりも大きいものであり、下方に開口するだけでなく、左方及び右方も開口している。
【００５３】
また、この遮炎材６０においては、第１下延部６２の延在端部となる下端部６２ａは、室外側に向けて僅かに湾曲しており、第２下延部６３の延在端部となる下端部６３ａは、室内側に向けて僅かに湾曲している。
【００５４】
更に、この遮炎材６０においては、溝部６４の内面、すなわち基部６１の下面、第１下延部６２の室内側面及び第２基部６１の室外側面には、例えば発泡黒鉛等の熱膨張性部材６５が貼付されることで設けられている。
【００５５】
このような遮炎材６０は、摺動部材５０の２つの規制片部５４，５５間において、支持突起５６ａが溝部６４に相対的に進入してその上端部分が基部６１の下面に貼付された熱膨張性部材６５に接した状態で摺動部材５０に載置されている。このとき、溝部６４の下方は水平延在部５１に閉塞され、該溝部６４の右方は一方の規制片部５４に閉塞され、該溝部６４の左方は他方の規制片部５５に閉塞されている。そして、遮炎材６０は、他方の規制片部５５に設けられた規制突起５５１により該規制突起５５１よりも上方への移動が規制されている。
【００５６】
以上のような構成を有する建具においては、外障子２０及び内障子３０が矩形開口１５を閉塞する場合において、例えば火災等のように極めて高い温度で加熱されると、開口枠１０の上枠１１等や外障子２０の上框２１等、内障子３０の上框３１等を構成する樹脂製の形材が溶融するとともに、樹脂製の摺動部材５０も溶融することとなる。
【００５７】
このようにして摺動部材５０が溶融すると、該摺動部材５０に載置された遮炎材６０は、図８に示すように、溝部６４の内面に貼付された熱膨張性部材６５が膨張しつつ下方に向けて落下する。
【００５８】
そして、内障子用下レール１２６を溝部６４に相対的に進入させるようにして、下枠１２と内障子３０との隙間を塞ぐことができる。これと同様に、他の摺動部材に載置された遮炎材も落下して、下枠１２と内障子３０との隙間、並びに下枠１２と外障子２０との隙間を塞ぐことができる。
【００５９】
このようにして下枠１２と障子２０，３０との隙間を塞ぐことで、室内と室外との気密性を十分に確保し、火炎等が室内及び室外の一方から他方へと伝わることをある程度抑制して防火性能を確保することができる。従って、本実施の形態である建具によれば、防火性を良好なものとすることができる。
【００６０】
上記建具によれば、遮炎材６０は、摺動部材５０に載置されているだけなので、摺動部材５０が内障子３０等に装着される場合、遮炎材６０は右縦框３３の中空部に位置することとなり、該建具の水密性や気密性を阻害する虞れがない。
【００６１】
上記建具によれば、摺動部材５０に載置される遮炎材６０を用いるので、下枠１２等に貼付する熱膨張性部材の使用量の削減を図ることができ、これにより製造コストの低減化を図ることが可能になる。
【００６２】
上記建具によれば、遮炎材６０を構成する第１下延部６２の下端部６２ａが室外側に湾曲し、かつ遮炎材６０を構成する第２下延部６３の下端部６３ａが室内側に湾曲しているので、第１下延部６２の下端部６２ａと、第２下延部６３の下端部６３ａとの離間距離が最も大きくなり、これにより、摺動部材５０が溶融して遮炎材６０が落下した際に、内障子用下レール１２６をより確実に溝部６４の内部に相対的に進入させることができる。
【００６３】
以上、本発明の好適な実施の形態について説明したが、本発明はこれに限定されるものではなく、種々の変更を行うことができる。
【００６４】
上述した実施の形態では、遮炎材６０は、溝部６４の下方が摺動部材５０の水平延在部５１に閉塞され、溝部６４の右方が一方の規制片部５４に閉塞され、かつ溝部６４の左方が他方の規制片部５５に閉塞されるようにして載置されていたが、本発明においては、コーナー部材（摺動部材）が溶融して遮炎材が落下した際に、溝部に下枠のレールを相対的に進入させることができれば、遮炎材の載置姿勢は特に限定されるものではなく、遮炎材の溝部の一部がコーナー部材（摺動部材）に閉塞されるように載置されていればよい。また本発明においては、遮炎材は、コーナー部材に載置されるだけでなく、圧入や接着等によりコーナー部材に支持されていてもよい。
【００６５】
上述した実施の形態では、遮炎材６０における溝部６４の内面には熱膨張性部材６５が貼付されていたが、本発明においては、遮炎材には熱膨張性部材が貼付されていなくてもよい。
【符号の説明】
【００６６】
１０  開口枠
１２  下枠
１２５  外障子用下レール
１２５ａ  外障子用下レール本体
１２６  内障子用下レール
１２６ａ  内障子用下レール本体
１５  矩形開口
２０  外障子
２１  上框
２２  下框
２６  戸車
３０  内障子
３１  上框
３２  下框
３６  戸車
４０  アタッチメント
４１  レールアタッチメント
５０  摺動部材（コーナー部材）
５２  ヒレ部
５３  ヒレ部
６０  遮炎材
６４  溝部
６５  熱膨張性部材
【図１】
0006537913.tif 000002
【図２】
0006537913.tif 000003
【図３】
0006537913.tif 000004
【図４】
0006537913.tif 000005
【図５】
0006537913.tif 000006
【図６】
0006537913.tif 000007
【図７】
0006537913.tif 000008
【図８】
0006537913.tif 000009